(57)【特許請求の範囲】
【請求項１】
光源と、この光源を収納し、光源からの光を頭部の発光部から発するポールとを具備しており、前記ポールには、発光部の光軸角度を示す指示印が設けられており、この指示印とポールの軸芯とを結ぶ線が設置すべき道路の路肩等に形成されたラインと予め設定された角度になると、前記発光部の光軸角度が所定の角度だけ道路側に向くことを特徴とする光軸角度調整機能付きスノーポール。
【請求項２】
光源と、この光源を収納し、光源からの光を頭部の発光部から発するポールとを具備しており、前記ポールには、設置すべき道路の路肩等に形成されたラインと予め設定された角度になると、前記発光部が所定の角度だけ道路側に向く指示突起が設けられていることを特徴とする光軸角度調整機能付きスノーポール。
【請求項３】
光源と、この光源を収納し、光源からの光を頭部の発光部から発するポールとを具備しており、前記ポールには、指示棒を挿入する穴が開設されており、前記穴に挿入された指示棒と設置すべき道路の路肩等に形成されたラインとを予め設定された角度になると、前記発光部が所定の角度だけ道路側に向くことを特徴とする光軸角度調整機能付きスノーポール。
【請求項４】
前記予め設定された角度とは、平行又は直角であることを特徴とする請求項１、２又は３記載の光軸角度調整機能付きスノーポール。
【発明の詳細な説明】
【０００１】
【発明の属する技術分野】
本発明は、光軸角度調整機能付きスノーポールに関する。
【０００２】
【従来の技術】
スノーポールとは、雪国の道路脇に一定間隔で設置され、積雪があった場合でも光源からの光が発せられるポールの頭部は雪に埋もれないようにしたものであるこのスノーポールは、光源と、この光源を収納し、光源からの光を頭部の発光部から発するポールとを有している。かかるスノーポールは積雪のある道路の路肩を示すものである。
【０００３】
また、中央分離帯にも同様のスノーポールが設置されている。
【０００４】
【発明が解決しようとする課題】
しかしながら、このスノーポールは、発光部が道路と平行になっていては、道路を走行する車両のドライバーから見えにくく、３本以上を視認することができて初めて、道路が真っ直ぐかカーブしているかが判明するので、発光部は道路の中心側に向かって所定の角度、例えば５°だけ偏心していることが必要である。
【０００５】
しかし、発光部を５°だけ道路の中心側を向くように設置することは、現状ではなかなか手間のかかる作業である。
【０００６】
本発明は上記事情に鑑みて創案されたものであって、発光部が道路の中心に向かって所定角度だけ振った状態で設置することが容易な光軸角度調整機能付きスノーポールを提供することを目的としている。
【０００７】
【課題を解決するための手段】
本発明に係る光軸角度調整機能付きスノーポールは、光源と、この光源を収納し、光源からの光を頭部の発光部から発するポールとを備えており、前記ポールには、発光部の光軸角度を示す指示印等が設けられており、この指示印等とポールの軸芯とを結ぶ線が設置すべき道路の路肩等に形成されたラインと予め設定された角度になると、前記発光部の光軸角度が所定の角度だけ道路側に向くようになっている。
【０００８】
【発明の実施の形態】
図１は本発明の第１の実施の形態に係る光軸角度調整機能付きスノーポールの概略的斜視図、図２は本発明の第１の実施の形態に係る光軸角度調整機能付きスノーポールの発光部と指示印との位置関係を示す概略的説明図、図３は本発明の第１の実施の形態に係る光軸角度調整機能付きスノーポールを道路の路肩に設置した状態を示す概略的説明図、図４は本発明の第２の実施の形態に係る光軸角度調整機能付きスノーポールの要部の概略的斜視図、図５は本発明の第３の実施の形態に係る光軸角度調整機能付きスノーポールの要部の概略的斜視図、図６は本発明の第４の実施の形態に係る光軸角度調整機能付きスノーポールの概略的斜視図である。
【０００９】
本発明の第１の実施の形態に係る光軸角度調整機能付きスノーポール１００Ａは、１本のポール１１０Ａの頭部に光源（図示省略）を収納したものであり、道路に固定された棒状の固定物２００にバンド２１０等の適宜な固定手段を用いて固定されている。
【００１０】
かかる光軸角度調整機能付きスノーポール１００Ａの頭部には、発光部１２０Ａの光軸角度を示す指示印１４０Ａが設けられており、この指示印１４０Ａとポール１１０Ａの軸芯Ｏとを結ぶ線Ｌ２が設置すべき道路Ｒの路肩等に形成されたラインＲＬと予め設定された角度である平行になると、前記発光部１２０Ａの光軸角度が所定の角度だけ道路Ｒ側に向くようになっている。
【００１１】
前記光源は、複数個の発光ダイオードランプと、この発光ダイオードランプが実装された基板とから構成される。
【００１２】
一方、発光部１２０Ａは、ポール１１０Ａの上端側の外周面に開設された開口１１３Ａと、この開口１１３Ａに水密、気密に嵌め込まれた透光性を有するカバー１１４Ａとから構成されている。前記光源は、発光ダイオードランプがこの発光部１２０Ａと正対するようにしてポール１１０Ａの内部に収納されている。また、このポール１１０Ａの内部には、前記光源に対して電流を供給するためのトランス等の電子部品や、点減点灯を行うための点減制御部（図示省略）が設けられている。
【００１３】
かかるポール１１０Ａの外周面には、印刷等で前記指示印１４０Ａが付されている。この指示印１４０Ａとポール１１０Ａの軸芯Ｏとを結ぶ線Ｌ２は、図３に示すように、光軸角度調整機能付きスノーポール１００Ａが道路Ｒの路肩に設置されるものであれば、真上方向から見て、道路Ｒの路肩に形成された白色のラインＲＬと平行になると、発光部１２０Ａが道路Ｒの中心に向かって所定の角度、例えば５°だけ傾くような位置に設けられている。
【００１４】
すなわち、ポール１１０Ａの軸芯Ｏと発光部１２０Ａの中心とを結ぶ線Ｌ１と、前記軸芯Ｏと指示印１４０Ａとを結ぶ線Ｌ２とが５°の角度で交わるような位置に指示印１４０Ａが設けられているのである。
【００１５】
従って、光軸角度調整機能付きスノーポール１００Ａの設置時には、地面に固定された前記固定物２００に対してポール１１０Ａをバンド２１０等で仮固定し、真上方向から見てポール１１０Ａの指示印１４０Ａが前記ラインＲＬと平行になるまで、ポール１１０Ａを回動させるのである。これによって、発光部１２０Ａは、正確に道路Ｒの中心側に５°だけ振れた状態で取り付けられる。なお、指示印１４０ＡとラインＲＬとが平行になった状態で、ポール１１０Ａを前記バンド２１０等で固定物２００に本固定することは勿論である。また、前記固定物２００としては、ガードレールを固定するためのガードレール用支柱や、他の構造物を固定するための支柱を流用することができる。
【００１６】
次に、本発明の第２の実施の形態に係る光軸角度調整機能付きスノーポール１００Ｂについて図４を参照しつつ説明する。
この本発明の第２の実施の形態に係る光軸角度調整機能付きスノーポール１００Ｂが、第１の実施の形態に係るものと相違する点は、第１の実施の形態に係る光軸角度調整機能付きスノーポール１００Ａでは、発光部１２０Ａの光軸角度を示す指示印１４０Ａが設けられていたのに対し、指示突起１４０Ｂが設けられている点である。
【００１７】
このように、指示突起１４０Ｂとすると、真上方向から見る際に、ラインＲＬと指示突起１４０Ｂとが平行になったか否かが指示印１４０Ａより確認し易いという利点がある。
【００１８】
なお、この指示突起１４０Ｂは、ポール１１０Ｂの軸芯Ｏと発光部１２０Ｂの中心とを結ぶ線Ｌ１と、前記軸芯Ｏと指示突起１４０Ｂとを結ぶ線Ｌ２とが例えば５°の角度で交わるような位置に設けられていることは前記指示印１４０Ａと同等である。
【００１９】
次に、本発明の第３の実施の形態に係る光軸角度調整機能付きスノーポール１００Ｃについて図５を参照しつつ説明する。
この本発明の第３の実施の形態に係る光軸角度調整機能付きスノーポール１００Ｃが、第１の実施の形態や第２の実施の形態に係るものと相違する点は、第１の実施の形態や第２の実施の形態に係る光軸角度調整機能付きスノーポール１００Ａ、１００Ｂでは、発光部１２０Ａの光軸角度を示す指示印１４０Ａ、指示突起１４０Ｂが設けられていたのに対し、指示印１４０Ａや指示突起１４０Ｂのようにポール１１０Ａ、１１０Ｂに付されたものではなく、ポール１１０Ｃに開口された穴１１５Ｃに指示棒１４０Ｃを挿入するようにしている点である。
【００２０】
このように、ポール１１０Ｃに着脱自在な指示棒１４０Ｃとすると、１本あれば複数の光軸角度調整機能付きスノーポールの設置に利用することができるので、特に指示突起１４０Ｂを設けた光軸角度調整機能付きスノーポール１００Ｂより安価になるという利点がある。なお、真上方向から見る際に、ラインＲＬと指示棒１４０Ｃとが平行になったか否かが指示印１４０Ａより確認し易いという利点は、指示突起１４０Ｂの場合と同様である。
【００２１】
上述した第１〜第３の実施の形態では、ポール１１０Ａ〜１１０Ｃを１本ものとしたが、以下に示すように、２本ものとすることも可能である。
【００２２】
図６に示すように、光源（図示省略）と、この光源を収納し、光源からの光を頭部の発光部１２０Ｄから発するポール１１０Ｄとを備えており、前記ポール１１０Ｄには、発光部１２０Ｄの光軸角度を示す指示印１４０Ｄが設けられており、この指示印１４０Ｄとポール１１０Ｄの軸芯Ｏとを結ぶ線Ｌ２が設置すべき道路Ｒの路肩等に形成されたラインＲＬと平行になると、前記発光部１２０Ｄの光軸角度が所定の角度だけ道路Ｒ側に向くようになっている。
【００２３】
前記ポール１１０Ｄは、上側ポール１１１Ｄと、この上側ポール１１１Ｄが回動可能に上端に取り付けられる下側ポール１１２Ｄとを有している。前記下側ポール１１２Ｄは、地面に固定されるものであって、下端部には固定のためのフランジ部（図示省略）が形成されている。
【００２４】
一方、前記上側ポール１１１Ｄには、前記発光部１２０Ｄと指示印１４０Ｄとが設けられている。前記発光部１２０Ｄは、上側ポール１１１Ｄの上端側の外周面に開設された開口１１３Ｄと、この開口１１３Ｄに水密、気密に嵌め込まれた透光性を有するカバー１１４Ｄとから構成されている。前記光源は、発光ダイオードランプがこの発光部１２０Ｄに正対するようにして上側ポール１１１Ｄの内部に収納されている。また、このポール１１０Ｄの内部には、前記光源に対して電流を供給するためのトランス等の電子部品や、点減点灯を行うための点減制御部（図示省略）が設けられている。
【００２５】
かかる上側ポール１１１Ｄの外周面には、印刷等で前記指示印１４０Ｄが付されている。この指示印１４０Ｄとポール１１０Ｄとの軸芯Ｏとを結ぶ線Ｌ２は、光軸角度調整機能付きスノーポール１００Ｄが道路Ｒの路肩に設置されるものであれば、真上方向から見て、道路Ｒの路肩に形成された白色のラインＲＬと平行になると、発光部１２０Ｄが道路Ｒの中心に向かって所定の角度、例えば５°だけ傾くような位置に設けられている。
【００２６】
すなわち、上側ポール１１１Ｄの軸芯Ｏと発光部１２０Ｄの中心とを結ぶ線Ｌ１と、前記軸芯Ｏと指示印１４０Ｄとを結ぶ線Ｌ２とが５°の角度で交わるような位置に指示印１４０Ｄが設けられているのである。
【００２７】
従って、光軸角度調整機能付きスノーポール１００Ｄの設置時には、地面に固定された下側ポール１１２Ｄに対して上側ポール１１１Ｄを嵌め込み、真上方向から見て上側ポール１１１Ｄの指示印１４０Ｄとポール１１０Ｄの軸芯Ｏとを結ぶ線Ｌ２が前記ラインＲＬと平行になるまで、上側ポール１１１Ｄを回動させるのである。これによって、発光部１２０Ｄは、正確に道路Ｒの中心側に例えば５°だけ振れた状態で取り付けられる。なお、指示印１４０ＤとラインＲＬとが平行になった状態で、上側ポール１１１Ｄを下側ポール１１２Ｄに図示しない固定手段、例えばネジを用いた固定手段で固定することは勿論である。
【００２８】
このように、ポールを２本の上側ポールと下側ポールとから構成するタイプのものであっても、指示印１４０Ｄの代わりの指示突起、穴に挿入される指示棒とすることも可能なことは勿論である。
【００２９】
なお、上述した第１〜第４の実施の形態では、光源に発光ダイオードランプを使用したが、それ以外のものであってもよいことは勿論である。
【００３０】
さらに、上述した第１〜第４の実施の形態では、発光部１２０Ａ〜１２０Ｄが道路Ｒの中心側に向かって例えば５°だけ振れるものとしたが、この角度は５°に限定されるものでないことはいうまでもない。
【００３１】
また、上述した第１〜第４の実施の形態では、発光部１２０Ａ〜１２０Ｄは１つのみ設けられているものとして説明したが、例えば中央分離帯に設けられる光軸角度調整機能付きスノーポールであると、１８０°の間隔で２つの発光部を設けるようにするこは勿論である。
【００３２】
また、上述した第１〜第４の実施の形態では、指示印１４０Ａ等は、指示印１４０Ａ等とポール１１０Ａの軸芯Ｏとを結ぶ線Ｌ２が設置すべき道路Ｒの路肩等に形成されたラインＲＬと平行になると、発光部１２０Ａ等が道路Ｒの中心に向かって所定の角度、例えば５°だけ傾くような位置に設けられているとしたが、直角になった場合に、発光部１２０Ａ等が道路Ｒの中心に向かって所定の角度、例えば５°だけ傾くような位置に設けられているものであってもよい。
【００３３】
【発明の効果】
本発明に係る第１の光軸角度調整機能付きスノーポールは、光源と、この光源を収納し、光源からの光を頭部の発光部から発するポールとを備えており、前記ポールには、発光部の光軸角度を示す指示印が設けられており、この指示印とポールの軸芯とを結ぶ線が設置すべき道路の路肩等に形成されたラインと予め設定された角度になると、前記発光部の光軸角度が所定の角度だけ道路側に向くように構成されている。
【００３４】
従って、指示印と軸芯とを結ぶ線をラインに対して予め設定された角度にすると、発光部は所定の角度だけ道路側に向くようになっている。このため、この光軸角度調整機能付きスノーポールによると、発光部を道路を走行する車両のドライバーから確認し易い位置に容易に調整することが可能である。
【００３５】
一方、本発明に係る第２の光軸角度調整機能付きスノーポールは、光源と、この光源を収納し、光源からの光を頭部の発光部から発するポールとを備えており、前記ポールには、設置すべき道路の路肩等に形成されたラインと予め設定された角度にすると、前記発光部が所定の角度だけ道路側に向く指示突起が設けられている。
【００３６】
従って、この光軸角度調整機能付きスノーポールであると、真上方向から見る際に、ラインと指示突起とが予め設定された角度になったか否かが指示印より確認し易いという利点がある。これは、道路の路肩に設置される光軸角度調整機能付きスノーポールのメンテナンスを行う作業員の安全の観点からより望ましいものといえる。
【００３７】
さらに、本発明に係る第３の光軸角度調整機能付きスノーポールは、光源と、この光源を収納し、光源からの光を頭部の発光部から発するポールとを備えており、前記ポールには、指示棒を挿入する穴が開設されており、前記穴に挿入された指示棒と設置すべき道路の路肩等に形成されたラインとを予め設定された角度にすると、前記発光部が所定の角度だけ道路側に向くようになっている。
【００３８】
従って、この光軸角度調整機能付きスノーポールであると、ラインと指示棒とが予め設定された角度になったか否かが指示印より確認し易いという利点がある。ひいては、道路の路肩に設置される光軸角度調整機能付きスノーポールのメンテナンスを行う作業員の安全の観点からより望ましいものといえる。またさらに、１本の指示棒があれば、複数の光軸角度調整機能付きスノーポールに対応することができるので、特に指示突起を設けた光軸角度調整機能付きスノーポールより安価になるという利点がある。
【００３９】
また、前記ポールは、発光部及び指示印が設けられた上側ポールと、この上側ポールが回動可能に取り付けられた下側ポールとを有していると、下側ポールを地面に固定した状態で、上側ポールのみを回動させることで、発光部の向く角度を調整することができるので、設置作業がより安全になるという効果がある。なお、この効果は、本発明に係る第１及び第２の光軸角度調整機能付きスノーポールにおいても同様である。
【００４０】
また、前記ポールは、棒状の固定物に固定されるものである。すると、前記固定物として、ガードレールを固定するためのガードレール用支柱や、他の構造物を固定するための支柱を流用することができるので、新たなポールを設置することなしに、スノーポールを取り付けることができるので便利である。
【００４１】
また、前記予め設定された角度を平行又は直角とすることにより、より簡単に角度の調整を行うことができる。
【図面の簡単な説明】
【図１】本発明の第１の実施の形態に係る光軸角度調整機能付きスノーポールの概略的斜視図である。
【図２】本発明の第１の実施の形態に係る光軸角度調整機能付きスノーポールの発光部と指示印との位置関係を示す概略的説明図である。
【図３】本発明の第１の実施の形態に係る光軸角度調整機能付きスノーポールを道路の路肩に設置した状態を示す概略的説明図である。
【図４】本発明の第２の実施の形態に係る光軸角度調整機能付きスノーポールの要部の概略的斜視図である。
【図５】本発明の第３の実施の形態に係る光軸角度調整機能付きスノーポールの要部の概略的斜視図である。
【図６】本発明の第４の実施の形態に係る光軸角度調整機能付きスノーポールの要部の概略的斜視図である。
【符号の説明】
１００Ａ    光軸角度調整機能付きスノーポール
１１０Ａ    ポール
１２０Ａ    発光部
１４０Ａ    指示印
【図１】
0003595536.tif 000002
【図２】
0003595536.tif 000003
【図３】
0003595536.tif 000004
【図４】
0003595536.tif 000005
【図５】
0003595536.tif 000006
【図６】
0003595536.tif 000007